(57)【要約】 【課題】読影画面に表示された乳房画像に対する読影レポートを作成する際の利便性を向上させる。【解決手段】レポート生成管理装置１０の制御部１１は、通信部１４を介して画像ビューワ端末から乳房画像データと病変アノテーション情報とを取得する。制御部１１は、乳房画像データの付帯情報に基づいて、レポート生成画面（読影レポート作成画面）における乳房画像データ及び病変アノテーション情報の表示状態を決定する。制御部１１は、乳房画像データと病変アノテーション情報とが決定された表示状態で表示されたレポート生成画面を表示部１３に表示させる。【選択図】図５
2010227207.tif 000002
【特許請求の範囲】
【請求項１】
表示手段と、
付帯情報が付帯された乳房画像データと当該乳房画像データに関する病変アノテーション情報とを取得する取得手段と、
前記付帯情報に基づいて、読影レポートの作成に供する読影レポート作成画面における前記乳房画像データ及び前記病変アノテーション情報の表示状態を決定し、前記乳房画像データ及び病変アノテーション情報が前記決定された表示状態で表示された前記読影レポート作成画面を前記表示手段に表示させる制御手段と、
を備える読影レポート作成支援装置。
【請求項２】
前記制御手段は、前記付帯情報に含まれる撮影部位情報に基づいて、前記表示状態を決定する、
請求項１に記載の読影レポート作成支援装置。
【請求項３】
前記制御手段は、前記付帯情報に含まれる撮影方向情報に基づいて、前記表示状態を決定する、
請求項１又は２に記載の読影レポート作成支援装置。
【請求項４】
前記制御手段は、前記付帯情報に含まれる画像側性情報に基づいて、前記表示状態を決定する、
請求項１〜３の何れか一項に記載の読影レポート作成支援装置。
【請求項５】
前記制御手段は、前記表示手段を制御して、前記乳房画像データをレポート添付画像として前記読影レポート作成画面上に表示させ、前記病変アノテーション情報を前記レポート添付画像上に表示させる、
請求項１〜４の何れか一項に記載の読影レポート作成支援装置。
【請求項６】
前記制御手段は、前記表示手段を制御して、所見レポート記述領域を前記読影レポート作成画面上に表示させ、前記病変アノテーション情報を前記所見レポート記述領域に表示させる、
請求項１〜５の何れか一項に記載の読影レポート作成支援装置。
【請求項７】
前記制御手段は、前記表示手段を制御して、病変レポートテンプレートを前記読影レポート作成画面上に表示させ、前記病変アノテーション情報を前記病変テンプレート上に反映して表示させる、
請求項１〜６の何れか一項に記載の読影レポート作成支援装置。
【請求項８】
前記取得手段は、前記乳房画像データを高精度表示する画像ビューワから当該乳房画像データと当該乳房画像データに関する病変アノテーション情報とを取得する、
請求項１〜７の何れか一項に記載の読影レポート作成支援装置。
【請求項９】
前記病変アノテーション情報は、読影レポートの情報である、
請求項１〜８の何れか一項に記載の読影レポート作成支援装置。
【請求項１０】
コンピュータを、
表示手段、
付帯情報が付帯された乳房画像データと当該乳房画像データに関する病変アノテーション情報とを取得する取得手段、
前記付帯情報に基づいて、読影レポートの作成に供する読影レポート作成画面における前記乳房画像データ及び前記病変アノテーション情報の表示状態を決定し、前記乳房画像データ及び病変アノテーション情報が前記決定された表示状態で表示された前記読影レポート作成画面を前記表示手段に表示させる制御手段、
として機能させるためのプログラム。
【発明の詳細な説明】
【技術分野】
【０００１】
本発明は、読影レポート作成支援装置及びプログラムに関する。
【背景技術】
【０００２】
病院や診療所等の医療施設では、乳房撮影装置（モダリティ）等を用いて患者の乳房の撮影が行われ、乳房画像（乳房画像データ）が生成される。読影医は、生成された乳房画像を読影画面に表示させ、レポート生成画面（読影レポート作成画面）上でこの乳房画像に対する読影レポートを作成する。
【０００３】
例えば、読影レポートを作成するためのシステムとして、画像生成装置で生成された画像データに対して所定の画像解析を行い、追加撮影等の必要性およびその種類を客観的に判断する追加撮影判断部が組み込まれた画像品質検査用端末を含んだ医用画像処理システムが開示されている（特許文献１参照）。
【先行技術文献】
【特許文献】
【０００４】
【特許文献１】特開２００６−５１１９８号公報
【発明の概要】
【発明が解決しようとする課題】
【０００５】
ところで、読影画面に表示された乳房画像に対する読影レポートを作成する場合、読影医は、次のような３ステップの作業を行う必要がある。
【０００６】
即ち、読影医は、読影画面に表示される乳房画像に対してアノテーションで病変を指摘する。そして、読影医は、乳房画像とアノテーションとを読影画面からレポート生成画面へと添付する操作を行う。そして、読影医は、レポート生成画面上でアノテーションで指摘した病変についての読影レポート（病変内容）を作成する。
【０００７】
このように、読影画面に表示された乳房画像に対する読影レポートの作成に、多くの作業（３ステップ）を要することは、時間的なロスが大きく、ユーザの負担が大きい。
【０００８】
本発明は、上述したような課題に鑑みて為されたものであり、その目的とするところは、読影画面に表示された乳房画像に対する読影レポートを作成する際の利便性を向上させることである。
【課題を解決するための手段】
【０００９】
上記の課題を解決するために、請求項１に記載の読影レポート作成支援装置は、
表示手段と、
付帯情報が付帯された乳房画像データと当該乳房画像データに関する病変アノテーション情報とを取得する取得手段と、
前記付帯情報に基づいて、読影レポートの作成に供する読影レポート作成画面における前記乳房画像データ及び前記病変アノテーション情報の表示状態を決定し、前記乳房画像データ及び病変アノテーション情報が前記決定された表示状態で表示された前記読影レポート作成画面を前記表示手段に表示させる制御手段と、
を備える。
【００１０】
請求項２に記載の発明は、請求項１に記載の発明において、
前記制御手段は、前記付帯情報に含まれる撮影部位情報に基づいて、前記表示状態を決定する。
【００１１】
請求項３に記載の発明は、請求項１又は２に記載の発明において、
前記制御手段は、前記付帯情報に含まれる撮影方向情報に基づいて、前記表示状態を決定する。
【００１２】
請求項４に記載の発明は、請求項１〜３の何れか一項に記載の発明において、
前記制御手段は、前記付帯情報に含まれる画像側性情報に基づいて、前記表示状態を決定する。
【００１３】
請求項５に記載の発明は、請求項１〜４の何れか一項に記載の発明において、
前記制御手段は、前記表示手段を制御して、前記乳房画像データをレポート添付画像として前記読影レポート作成画面上に表示させ、前記病変アノテーション情報を前記レポート添付画像上に表示させる。
【００１４】
請求項６に記載の発明は、請求項１〜５の何れか一項に記載の発明において、
前記制御手段は、前記表示手段を制御して、所見レポート記述領域を前記読影レポート作成画面上に表示させ、前記病変アノテーション情報を前記所見レポート記述領域に表示させる。
【００１５】
請求項７に記載の発明は、請求項１〜６の何れか一項に記載の発明において、
前記制御手段は、前記表示手段を制御して、病変レポートテンプレートを前記読影レポート作成画面上に表示させ、前記病変アノテーション情報を前記病変テンプレート上に反映して表示させる。
【００１６】
請求項８に記載の発明は、請求項１〜７の何れか一項に記載の発明において、
前記取得手段は、前記乳房画像データを高精度表示する画像ビューワから当該乳房画像データと当該乳房画像データに関する病変アノテーション情報とを取得する。
【００１７】
請求項９に記載の発明は、請求項１〜８の何れか一項に記載の発明において、
前記病変アノテーション情報は、読影レポートの情報である。
【００１８】
請求項１０に記載のプログラムは、
コンピュータを、
表示手段、
付帯情報が付帯された乳房画像データと当該乳房画像データに関する病変アノテーション情報とを取得する取得手段、
前記付帯情報に基づいて、読影レポートの作成に供する読影レポート作成画面における前記乳房画像データ及び前記病変アノテーション情報の表示状態を決定し、前記乳房画像データ及び病変アノテーション情報が前記決定された表示状態で表示された前記読影レポート作成画面を前記表示手段に表示させる制御手段、
として機能させる。
【発明の効果】
【００１９】
請求項１、１０に記載の発明によれば、読影レポート作成支援装置は、付帯情報が付帯された乳房画像データと当該乳房画像データに関する病変アノテーション情報とを取得する。そして、読影レポート作成支援装置は、付帯情報に基づいて、読影レポートの作成に供する読影レポート作成画面における前記乳房画像データ及び前記病変アノテーション情報の表示状態を決定し、前記乳房画像データ及び病変アノテーション情報が前記決定された表示状態で表示された前記読影レポート作成画面を表示する。
【００２０】
そのため、読影画面に表示された乳房画像に対する読影レポートを作成する際の利便性を向上させることができる。
【００２１】
請求項２に記載の発明によれば、ユーザは、撮影部位情報に応じた表示状態の読影レポート作成画面を参照することができる。
【００２２】
請求項３に記載の発明によれば、ユーザは、撮影方向情報に応じた表示状態の読影レポート作成画面を参照することができる。
【００２３】
請求項４に記載の発明によれば、ユーザは、撮影側性情報に応じた表示状態の読影レポート作成画面を参照することができる。
【００２４】
請求項５に記載の発明によれば、読影画面に表示された乳房画像に対する読影レポートを作成する際の利便性を更に向上させることができる。
【００２５】
請求項６に記載の発明によれば、読影画面に表示された乳房画像に対する読影レポートを作成する際の利便性を更に向上させることができる。
【００２６】
請求項７に記載の発明によれば、読影画面に表示された乳房画像に対する読影レポートを作成する際の利便性を更に向上させることができる。
【００２７】
請求項８に記載の発明によれば、画像ビューワから出力される乳房画像に対する読影レポートを作成する際の利便性を向上させることができる。
【００２８】
請求項９に記載の発明によれば、読影レポート作成支援装置は、読影レポートの情報を外部から取得する。そのため、ユーザは、読影レポートを作成する作業を軽減することができる。よって、読影画面に表示された乳房画像に対する読影レポートを作成する際の利便性を更に向上させることができる。
【図面の簡単な説明】
【００２９】
【図１】放射線科システムのシステム構成の一例を示すシステム構成図である。
【図２】乳房画像データオブジェクトのデータ構成図である。
【図３】病変アノテーション情報オブジェクトのデータ構成図である。
【図４】画像ビューワ端末のブロック図である。
【図５】レポート生成管理装置のブロック図である。
【図６】マンモグラム検査における読影レポートと乳房画像の関係を示すイメージ図である。
【図７】マンモグラム検査における読影レポートのデータモデル図である。
【図８】読影レポートデータオブジェクトのデータ構成図である。
【図９】レポート生成管理装置１０や画像ビューワ端末３０が行う具体的な動作を示すフローチャート図である。
【図１０】読影画面の画面例である。
【図１１】アノテーション選択メニューバーの表示例である。
【図１２】病変情報設定ダイアログの表示例である。
【図１３】レポート生成画面の画面例である。
【図１４】レポート生成画面への自動マップのイメージ図である。
【図１５】レポート生成画面への自動マップのイメージ図である。
【発明を実施するための形態】
【００３０】
以下、本発明の読影レポート作成支援装置を図１のレポート生成管理装置１０に適用した場合の実施形態について図１〜図１５を参照して説明する。
【００３１】
[放射線科システムのシステム構成]
先ず、レポート生成管理装置１０を有する放射線科システム１００の概要について図１を用いて説明する。
【００３２】
図１は、放射線科システム１００のシステム構成の一例を示すブロック図である。図１によれば、放射線科システム１００は、レポート生成管理装置１０と、モダリティ２０と、画像ビューワ端末３０と、ＰＡＣＳ４０と、から構成されている。上記の各装置はＬＡＮ（Local Area Network）等の通信ネットワークＮを介してデータ通信可能に接続されている。
【００３３】
モダリティ２０は、患者の乳房を撮影し、撮影画像（乳房画像）の画像データ（実画像データ）を生成する乳房撮影装置である。以下、乳房撮影装置による検査をマンモグラム検査と称す。
【００３４】
モダリティ２０は、図示しないＲＩＳ（放射線情報システム）からオーダ情報を受信する。ＲＩＳとは、放射線科システム１００内の情報を統括的に管理するシステムである。オーダ情報とは、撮影や診断の検査オーダの内容を示すデータである。
【００３５】
モダリティ２０は、ＲＩＳから受信した検査オーダ情報に基づいて、生成した乳房画像の実画像データに関する各種情報（患者情報、検査情報及びシリーズ情報等）を有する付帯情報を生成する。そして、モダリティ２０は、実画像データに付帯情報を付帯させ、ＤＩＣＯＭ規格に則った乳房画像データを生成する。モダリティ２０は、生成した乳房画像データをＰＡＣＳ４０に送信する。
【００３６】
図２に、乳房画像１枚分に相当する乳房画像データ（以下、乳房画像データオブジェクトと称す）のデータ構成を示す。乳房画像データオブジェクトは、前述の通り、乳房画像１枚分に相当する実画像データと当該実画像データに関する付帯情報とから成る。付帯情報は、患者情報、検査情報及びシリーズ情報等を含む。また、検査情報は、「撮影部位」、「撮影方向」、「画像側性」の項目を含む。
【００３７】
図１に戻り、ＰＡＣＳ４０は、モダリティ２０において生成された乳房画像データを保存管理し、検索やデータ解析を行うデータベースシステムである。ＰＡＣＳ４０は、制御部や記憶部、通信部等を備えて構成され、モダリティ２０から受信した乳房画像データに含まれる付帯情報に基づいて当該乳房画像データを、例えば、リレーショナルデータベースに蓄積記憶していく。そして、ＰＡＣＳ４０は、読影医等の操作指示に応じて指定された患者ＩＤや検査ＩＤ等を検索キーとして乳房画像データを検索し、画像ビューワ端末３０や図示しないイメージャに出力する。また、ＰＡＣＳ４０は、患者ＩＤや検査ＩＤ等の検索キーを含む乳房画像データ取得要求を外部機器から受信すると、この取得要求に応じた乳房画像データを検索して外部機器に提供（送信）する。
【００３８】
画像ビューワ端末３０は、乳房画像データを表示するビューワ機能を有しており、読影医等の読影に供する端末である。画像ビューワ端末３０は、乳房画像データ取得要求をＰＡＣＳ４０に送信し、ＰＡＣＳ４０から取得要求に応じた乳房画像データを取得する。そして、画像ビューワ端末３０は、取得した乳房画像データを表示する。読影医等のユーザは、表示された乳房画像にアノテーションを付与したり、乳房画像における病変のコメントを作成したりするユーザ操作を画像ビューワ端末３０に対して行う。画像ビューワ端末３０は、これらのユーザ操作に基づいて病変アノテーション情報を生成する。病変アノテーション情報とは、乳房画像におけるアノテーションの情報、乳房画像における病変のコメント等の情報である。画像ビューワ端末３０は、生成した病変アノテーション情報とＰＡＣＳ４０から取得した乳房画像データとをレポート生成管理装置１０に送信する。
【００３９】
図３に、１検査分、即ち乳房画像４枚分（４つの乳房画像データオブジェクト）に対する病変アノテーション情報（以下、病変アノテーション情報オブジェクトと称す）のデータ構成を示す。病変アノテーション情報オブジェクトは、乳房画像４枚分におけるアノテーションの情報であるアノテーション実データと、乳房画像４枚分における病変のコメント等の情報である病変情報とから成る。
【００４０】
図１に戻り、レポート生成管理装置１０は、乳房画像データの読影レポートを生成するレポート生成機能と、生成した読影レポートを管理するレポート管理機能と、を有している。レポート生成管理装置１０は、画像ビューワ端末３０から受信した乳房画像データと病変アノテーション情報とに基づいて、レポート生成画面（読影レポート作成画面）１３１を表示する。レポート生成管理装置１０は、読影医等の操作指示に基づいて、読影レポート（読影レポートデータ）を生成する。レポート生成管理装置１０は、生成した読影レポートを保存し管理する。
【００４１】
[画像ビューワ端末の機能的構成]
図４に、画像ビューワ端末３０の機能的構成を示す。
【００４２】
図４に示すように、画像ビューワ端末３０は、制御部３１、操作部３２、表示部３３、通信部３４、記憶部３５を備えて構成され、各部はバス３６により接続されている。
【００４３】
制御部３１は、ＣＰＵ（Central Processing Unit）、ＲＡＭ（Random Access Memory）等から構成され、画像ビューワ端末３０の各部の処理動作を統括的に制御する。具体的には、ＣＰＵは、操作部３２から入力される操作信号又は通信部３４により受信される指示信号に応じて、記憶部３５に記憶されている各種処理プログラムを読み出し、ＲＡＭ内に形成されたワークエリアに展開し、当該プログラムとの協働により各種処理を行う。
【００４４】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００４５】
表示部３３は、高精細のＬＣＤ（Liquid Crystal Display）により構成され、制御部３１から入力される表示データに基づいて各種画面を表示する。
【００４６】
通信部３４は、ＬＡＮ（Local Area Network）アダプタ、ルータ、ＴＡ（Terminal Adapter）等を備え、通信ネットワークＮを介して接続されたレポート生成管理装置１０、ＰＡＣＳ４０等の外部機器との間でデータの送受信を行う。
【００４７】
記憶部３５は、ハードディスク等から構成され、制御プログラム、当該プログラムの実行に必要なパラメータやファイル等を記憶している。
【００４８】
制御部３１は、ユーザ操作による操作部３２からの操作信号に基づき、乳房画像データ取得要求を生成する。そして、制御部３１は、生成した乳房画像データ取得要求を通信部３４を介してＰＡＣＳ４０に送信する。
【００４９】
制御部３１は、通信部３４を介してＰＡＣＳ４０から乳房画像データ取得要求に応じた乳房画像データを取得すると、この乳房画像データに基づいて、表示部３３に読影画面３３１を表示させる。読影画面３３１には、乳房画像や付帯情報が表示される。
【００５０】
制御部３１は、ユーザ操作による操作部３２からの操作信号に基づき、表示部３３に表示された乳房画像に対するアノテーション実データと病変情報とを生成する。そして、制御部３１は、アノテーション実データと病変情報とに基づいて、病変アノテーション情報を生成する。そして、制御部３１は、乳房画像データと病変アノテーション情報とを通信部３４を介してレポート生成管理装置１０に送信する。
【００５１】
[レポート生成管理装置の機能的構成]
図５に、レポート生成管理装置１０の機能的構成を示す。
【００５２】
図５に示すように、レポート生成管理装置１０は、制御部１１、操作部１２、表示部１３、通信部１４、記憶部１５を備えて構成され、各部はバス１６により接続されている。
【００５３】
制御部１１は、ＣＰＵ、ＲＡＭ等から構成され、レポート生成管理装置１０の各部の処理動作を統括的に制御する。具体的には、ＣＰＵは、操作部１２から入力される操作信号又は通信部１４により受信される指示信号に応じて、記憶部１５に記憶されている各種処理プログラムを読み出し、ＲＡＭ内に形成されたワークエリアに展開し、当該プログラムとの協働により各種処理を行う。
【００５４】
操作部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００５５】
表示部１３は、ＬＣＤにより構成され、制御部１１から入力される表示データに基づいて各種画面を表示する。
【００５６】
通信部１４は、ＬＡＮアダプタ、ルータ、ＴＡ等を備え、通信ネットワークＮを介して接続された画像ビューワ端末３０等の外部機器との間でデータの送受信を行う。
【００５７】
記憶部１５は、ハードディスク等から構成され、制御プログラム、当該プログラムの実行に必要なパラメータやファイル等を記憶している。記憶部１５は、レポートＤＢ１５１を記憶する。レポートＤＢ１５１とは、読影レポートデータを記憶管理するデータベースである。
【００５８】
制御部１１は、通信部１４を介して画像ビューワ端末３０から乳房画像データと病変アノテーション情報とを取得すると、乳房画像データに含まれる付帯情報に基づいて、レポート生成画面１３１における表示状態を決定する。制御部１１は、乳房画像データと病変アノテーション情報とに基づいて、決定した表示状態でレポート生成画面１３１を表示部１３に表示させる。
【００５９】
そして、制御部１１は、ユーザ操作による操作部３２からの操作信号等に基づき、読影レポートデータを生成する。制御部１１は、生成した読影レポートデータを記憶部１５のレポートＤＢ１５１に記憶させて管理する。
【００６０】
図６に、マンモグラム検査における読影レポートと乳房画像の関係を示すイメージ図を示す。図６に示すように、マンモグラム検査は、右乳房検査と左乳房検査とで構成される。
【００６１】
右乳房検査では、ＭＬＯ（外斜位方向）で撮影された乳房画像（右乳房ＭＬＯ画像）と、ＣＣ（頭尾方向）で撮影された乳房画像（右乳房ＣＣ画像）とがモダリティ２０において生成される。また、右乳房ＭＬＯ画像と右乳房ＣＣ画像の読影レポート（右乳房レポート）が生成される。この右乳房レポートは、部分レポートである。部分レポートについては後述する。
【００６２】
左乳房検査でも同様に、ＭＬＯ（内外斜位方向）で撮影された乳房画像（左乳房ＭＬＯ画像）と、ＣＣ（頭尾方向）で撮影された乳房画像（左乳房ＣＣ画像）とがモダリティ２０において生成される。また、左乳房ＭＬＯ画像と左乳房ＣＣ画像の読影レポート（左乳房レポート）が生成される。この左乳房レポートは、部分レポートである。
【００６３】
また、マンモグラム検査では、右乳房レポートと左乳房レポートとを総合判定した読影レポート（総合レポート）が生成される。
【００６４】
図７に、マンモグラム検査における読影レポート（読影レポートデータ）のデータモデル図を示す。レポートＤＢ１５１では、このデータモデルに従って、検査、読影レポート、乳房画像等を関連付けている。図７に示すように、マンモグラム検査において、読影レポートは一検査毎に生成される。一検査分の読影レポートデータを読影レポートデータオブジェクトと称す。
【００６５】
前述のように、マンモグラム検査には、２つの部分検査が含まれる。具体的に、２つの部分検査とは、右乳房検査と左乳房検査である。各部分検査では、乳房画像２枚分の乳房画像データ、即ち、２つの乳房画像データオブジェクトが生成される。具体的に、１つは、モダリティ２０においてＭＬＯで撮影された乳房画像（右乳房ＭＬＯ画像、左乳房ＭＬＯ画像）に対応するデータ、もう１つは、ＣＣで撮影された乳房画像（右乳房ＣＣ画像、左乳房ＣＣ画像）に対応するデータである。
【００６６】
一検査分の読影レポートには、２つの部分レポートと１つの統合レポートとが含まれる。部分レポートとは、部分検査における読影レポートである。即ち、一検査分の読影レポートには、右乳房検査における読影レポート（右乳房レポート）と左乳房検査における読影レポート（左乳房レポート）とが含まれる。統合レポートとは、各部分検査を総合判定した読影レポート（総合レポート）である。即ち、一検査分の読影レポートには、右乳房検査と左乳房検査とを統合判定した読影レポートが含まれる。１つの部分検査の部分レポートのデータを部分レポートデータオブジェクトと称す。また、１つの統合レポートのデータを総合レポートデータオブジェクトと称す。
【００６７】
図８に、レポートＤＢ１５１に記憶管理されている読影レポートデータオブジェクトのデータ構成図を示す。図８に示すように、読影レポートデータオブジェクトは、１つの総合レポートデータオブジェクトと、２つの部分レポートデータオブジェクトとを含む。また、部分レポートデータオブジェクトには、部分判定情報が含まれる。総合レポートデータオブジェクトには、総合判定情報が含まれる。レポートＤＢ１５１には、一又は複数の読影レポートデータオブジェクトが記憶される。
【００６８】
[レポート生成管理装置等の具体的な動作]
次に、レポート生成管理装置１０や画像ビューワ端末３０が行う具体的な動作について、図９を用いて説明する。
【００６９】
ユーザは、画像ビューワ端末３０の操作部３２に対して、読影を行う乳房画像の検査を選択する操作を行う。制御部３１は、操作部３２からの操作信号に基づいて、読影の対象となる検査を選択する（ステップＳ１）。
【００７０】
そして、制御部３１は、対象となる検査に対応する乳房画像データをＰＡＣＳ４０から取得する（ステップＳ２）。具体的に、制御部３１は、ステップＳ１において選択された検査の検査ＩＤや、この検査対象となった患者の患者ＩＤ等を検索キーとする乳房画像データ取得要求を生成する。制御部３１は、生成した乳房画像データ取得要求をＰＡＣＳ４０に通信部３４を介して送信する。そして、制御部３１は、ＰＡＣＳ４０から取得要求に応じた乳房画像データを通信部３４を介して受信する。ここで、取得要求に応じた乳房画像データとは、右乳房ＭＬＯ画像、右乳房ＣＣ画像、左乳房ＭＬＯ画像、左乳房ＣＣ画像に対応する４つの乳房画像データオブジェクトである。
【００７１】
制御部３１は、ＰＡＣＳ４０から取得した乳房画像データ（４つの乳房画像データオブジェクト）に基づいて、読影画面３３１（図１０参照）を表示部３３に表示させる（ステップＳ３）。具体的に、制御部３１は、乳房画像データオブジェクトに含まれる付帯情報に基づき、ハンギングプロトコル等を用いて画面のレイアウト（表示状態）を決定する。そして、制御部３１は、乳房画像データに基づいて、決定した表示状態で読影画面３３１を表示部３３に表示させる。
【００７２】
図１０に、読影画面３３１の画面例を示す。図１０に示すように、読影画面３３１上の左上の領域に右乳房ＭＬＯ画像ｄ１が、読影画面３３１上の左下の領域に右乳房ＣＣ画像ｄ２が、読影画面３３１上の右上の領域に左乳房ＭＬＯ画像ｄ３が、読影画面３３１上の右下の領域に左乳房ＣＣ画像ｄ４が表示される。
【００７３】
また、読影画面３３１上には、図１１に示すアノテーション選択メニューバー３３２が表示される。アノテーション選択メニューバー３３２は、「石灰」「腫瘤」「その他」の項目があり、これらの項目の何れかを選択し、読影画面３３１に表示されている乳房画像と当該画像上の位置を指定することにより、各項目に応じたアノテーションが、指定された乳房画像上の指定位置に描画される。また、この際、アノテーションの大きさ等も指定される。この描画されたアノテーションの情報が、アノテーション実データとなる。
【００７４】
また、読影画面３３１上には、図１２に示す病変情報設定ダイアログ３３３が表示される。病変情報設定ダイアログ３３３は、カテゴリ選択領域Ｔ１、病変内容設定領域Ｔ２、コメント作成ボタンｂ２等から構成される。
【００７５】
カテゴリ選択領域Ｔ１には、カテゴリ１〜５等のボタンが表示される。右の乳房画像（右乳房ＭＬＯ画像ｄ１又は右乳房ＣＣ画像ｄ２）を選択して、カテゴリ１〜５等のボタンの何れかを選択することにより、読影レポートデータオブジェクトにおける右乳房レポートの部分判定情報に対応する値（右乳房部分判定値）が設定される。また、左の乳房画像（左乳房ＭＬＯ画像ｄ３又は左乳房ＣＣ画像ｄ４）を選択して、カテゴリ１〜５等のボタンの何れかを選択することにより、読影レポートデータオブジェクトにおける左乳房レポートの部分判定情報に対応する値（左乳房部分判定値）が設定される。ここで、異常所見がない場合、カテゴリ１が選択される。明らかに良性と診断できる所見がある場合、カテゴリ２が選択される。良性であるが、悪性を否定できない所見がある場合、カテゴリ３が選択される。悪性が疑われる所見がある場合、カテゴリ４が選択される。悪性の所見がある場合、カテゴリ５が選択される。即ち、カテゴリ１からカテゴリ５になるに連れて、悪い診断結果となる。
【００７６】
病変内容設定領域Ｔ２では、右乳房側と左乳房側の病変の形態、病変の分布状態等の情報（以下、右乳房病変内容情報、左乳房病変内容情報と称す）を設定する。
【００７７】
コメント作成ボタンｂ２が押下されると、右乳房側と左乳房側の病変に対するコメントを作成するためのダイアログ（図示せず）が、読影画面３３１上に表示される。読影医等のユーザは、このダイアログに病変のコメントを入力する。この入力により、右乳房病変コメント情報と左乳房病変コメント情報が生成される。
【００７８】
このような右乳房部分判定対応値、左乳房部分判定対応値、右乳房病変内容情報、左乳房病変内容情報、右乳房病変コメント情報、左乳房病変コメント情報等を含んだ情報が病変情報となる。
【００７９】
また、読影画面３３１には、レポート転記ボタンｂ１が表示される。レポート転記ボタンｂ１が押下されると、病変アノテーション情報オブジェクトが生成され、この病変アノテーション情報オブジェクトと４つの乳房画像データオブジェクトとがレポート生成管理装置１０に通信部３４を介して送信される。
【００８０】
図９に戻り、制御部３１は、読影画面３３１等における前述したユーザ操作（アノテーション選択メニューバー３３２における項目の選択、レポート転記ボタンｂ１の押下等）による操作部３２からの操作信号に基づいて、乳房画像データ（４つの乳房画像データオブジェクト）に関する病変アノテーション情報（１つの病変アノテーション情報オブジェクト）を生成する（ステップＳ４）。具体的に、制御部３１は、前述した読影画面３３１上に描画されたアノテーション実データと、前述した病変情報設定ダイアログ３３３上で設定された病変情報とに基づいて、病変アノテーション情報オブジェクトを生成する。
【００８１】
そして、制御部３１は、乳房画像データ（４つの乳房画像データオブジェクト）と、生成した病変アノテーション情報（１つの病変アノテーション情報オブジェクト）とを通信部３４を介して、レポート生成管理装置１０に送信する（ステップＳ５）。
【００８２】
レポート生成管理装置１０の制御部１１は、通信部１４を介して画像ビューワ端末３０から乳房画像データ（４つの乳房画像データオブジェクト）と病変アノテーション情報（１つの病変アノテーション情報オブジェクト）とを取得すると、レポート生成画面１３１を表示する処理（ステップＳ６〜ステップＳ９）を行う。
【００８３】
図１３に、レポート生成画面１３１の画面例を示す。図１３に示すように、レポート生成画面１３１は、総合判定表示領域Ｔ１１、右乳房部分判定設定領域Ｔ１２、左乳房部分判定設定領域Ｔ１３、右乳房レポート記述領域Ｔ１４、左乳房レポート記述領域Ｔ１５等から構成される。また、右乳房レポート記述領域Ｔ１４は、レポート添付画像ｄ１１、ｄ１２、病変レポートテンプレートｄ１５を含む。左乳房レポート記述領域Ｔ１５は、レポート添付画像ｄ１３、ｄ１４、病変レポートテンプレートｄ１６を含む。
【００８４】
レポート添付画像ｄ１１は、右乳房ＭＬＯ画像である。レポート添付画像ｄ１２は、右乳房ＣＣ画像である。レポート添付画像ｄ１３は、左乳房ＭＬＯ画像である。レポート添付画像ｄ１４は、左乳房ＣＣ画像である。
【００８５】
右乳房レポート記述領域Ｔ１４は、右乳房レポートを記述するための領域である。ユーザは、操作部１２を介して、この右乳房レポート記述領域Ｔ１４に部分レポートを記述する。また、病変レポートテンプレートｄ１５において、ユーザは、テンプレートに従って部分レポートを作成することができる。
【００８６】
右乳房部分判定設定領域Ｔ１２は、右乳房レポートの部分判定を行うための領域である。ユーザは、操作部１２を介して、右乳房部分判定設定領域Ｔ１２にあるカテゴリ１〜５等のボタンを選択し、右乳房レポートの部分判定を行う。
【００８７】
左乳房レポート記述領域Ｔ１５は、左乳房レポートを記述するための領域である。ユーザは、操作部１２を介して、この左乳房レポート記述領域Ｔ１５に部分レポートを記述する。また、病変レポートテンプレートｄ１６において、ユーザは、テンプレートに従って部分レポートを作成することができる。
【００８８】
左乳房部分判定設定領域Ｔ１３は、左乳房レポートの部分判定を行うための領域である。ユーザは、操作部１２を介して、左乳房部分判定設定領域Ｔ１３にあるカテゴリ１〜５等のボタンを選択し、左乳房レポートの部分判定を行う。
【００８９】
総合判定表示領域Ｔ１１は、各部分検査の総合判定を行うための領域である。
【００９０】
制御部１１は、画像ビューワ端末３０において生成された病変アノテーション情報オブジェクトに基づいて、病変の種類、病変のサイズ、病変の位置、アノテーションで指定した病変へのコメント等をレポート生成画面１３１上に自動で（ユーザ操作による操作部１２からの操作信号によらないで）表示し、読影レポートデータオブジェクトを生成する。また、表示された病変の種類、病変のサイズ、病変の位置、アノテーションで指定した病変へのコメント等は、ユーザ操作により変更、編集可能である。
【００９１】
図９に戻り、レポート生成管理装置１０の制御部１１は、通信部１４を介して画像ビューワ端末３０から乳房画像データ（４つの乳房画像データオブジェクト）と病変アノテーション情報（１つの病変アノテーション情報オブジェクト）とを取得すると、乳房画像データオブジェクトの付帯情報に基づいて、レポート生成画面１３１上の右乳房レポート記述領域Ｔ１４、左乳房レポート記述領域Ｔ１５への乳房画像データの表示状態を決定する（ステップＳ６）。即ち、制御部１１は、各乳房画像データオブジェクトの付帯情報の検査情報に含まれる項目「側性」「撮影方向」に基づいて、各乳房画像データオブジェクトをレポート添付画像ｄ１１〜ｄ１４として画面上に配置する表示状態を決定する。
【００９２】
具体的に、制御部１１は、「側性：右」「撮影方向：ＭＬＯ」の乳房画像データオブジェクトの実画像データに対して、右乳房レポート記述領域Ｔ１４の大きさに合うサイズに縮小変換処理を施し、レポート添付画像ｄ１１として表示させる。また、制御部１１は、「側性：右」「撮影方向：ＣＣ」の乳房画像データオブジェクトの実画像データに対して、右乳房レポート記述領域Ｔ１４の大きさに合うサイズに縮小変換処理を施し、レポート添付画像ｄ１２として表示させる。また、制御部１１は、「側性：左」「撮影方向：ＭＬＯ」の乳房画像データオブジェクトの実画像データに対して、左乳房レポート記述領域Ｔ１５の大きさに合うサイズに縮小変換処理を施し、レポート添付画像ｄ１３として表示させる。また、制御部１１は、「側性：左」「撮影方向：ＣＣ」の乳房画像データオブジェクトの実画像データに対して、左乳房レポート記述領域Ｔ１５の大きさに合うサイズに縮小変換処理を施し、レポート添付画像ｄ１４として表示させる。
【００９３】
尚、制御部１１は、各乳房画像データオブジェクトの付帯情報の検査情報に含まれる項目「側性」「撮影方向」に基づいて、各乳房画像データオブジェクトをレポート添付画像ｄ１１〜ｄ１４として画面上に配置する表示状態を決定するとした。しかし、制御部１１は、項目「側性」「撮影方向」に加えて、「撮影部位」に基づいて、表示状態を決定するとしてもよい。また、制御部１１は、項目「側性」「撮影方向」「撮影部位」の何れか、又はこれらの組み合わせにより、表示状態を決定するとしてもよい。
【００９４】
次に、制御部３１は、乳房画像データオブジェクトの付帯情報に基づいて、レポート生成画面１３１の右乳房レポート記述領域Ｔ１４、左乳房レポート記述領域Ｔ１５に表示されるレポート添付画像ｄ１１〜ｄ１４へのアノテーション実データの表示状態を決定する（ステップＳ７）。
【００９５】
具体的に、制御部１１は、レポート添付画像の縮小率（縮小変換処理による変換倍率）で、アノテーション実データに対して縮小変換処理を施す。ここで、縮小変換処理による変換倍率は、以下の式ａにより求められる。
【００９６】
変換倍率  ＝
レポート添付画像のサンプリングピッチ  ／
元の乳房画像データオブジェクトの実画像データのサンプリングピッチ
・・・・・（ａ）
【００９７】
そして、制御部１１は、元の乳房画像データオブジェクトにおけるアノテーション実データの座標に変換倍率を乗算し、レポート添付画像上でのアノテーション実データの表示状態を決定する。前述の通り、アノテーション実データは、「病変種類」「病変のサイズ」「病変の位置」の情報を含む。
【００９８】
次に、制御部１１は、乳房画像データオブジェクトの付帯情報や病変アノテーション情報オブジェクトに基づいて、病変情報の病変レポートテンプレートｄ１５、ｄ１６等への表示状態を決定する（ステップＳ８）。
【００９９】
具体的に、制御部１１は、乳房画像データオブジェクトの付帯情報の項目「側性」に基づいて、病変アノテーション情報に含まれる病変情報の各情報（右乳房部分判定対応値、左乳房部分判定対応値、右乳房病変内容情報、左乳房病変内容情報、右乳房病変コメント情報、左乳房病変コメント情報）が病変レポートテンプレートｄ１５、ｄ１６の何れに表示されるかを判別する。そして、制御部１１は、病変情報に含まれる右乳房部分判定値に基づいて、右乳房部分判定設定領域Ｔ１２におけるカテゴリ１〜５の何れかのボタンを選択する。また、制御部１１は、病変情報に含まれる左乳房部分判定値に基づいて、左乳房部分判定設定領域Ｔ１３におけるカテゴリ１〜５の何れかのボタンを選択する。また、制御部１１は、病変情報に含まれる右乳房病変内容情報を、病変レポートテンプレートｄ１５に反映する。また、制御部１１は、病変情報に含まれる左乳房病変内容情報を、病変レポートテンプレートｄ１６に反映する。また、制御部１１は、右乳房病変コメント情報を、右乳房レポート記述領域Ｔ１４の自由記述欄に反映する。また、制御部１１は、左乳房病変コメント情報を、左乳房レポート記述領域Ｔ１５の自由記述欄に反映する。
【０１００】
そして、制御部１１は、ステップＳ６〜Ｓ８において決定した表示状態で、レポート生成画面１３１を表示部１３に表示させる（ステップＳ９）。
【０１０１】
図１４に、ステップＳ６、Ｓ７において決定した表示状態でレポート生成画面１３１を表示部１３に表示させる（自動マップする）イメージを示す。図１４に示すように、読影画面３３１上の右乳房ＭＬＯ画像ｄ１がレポート添付画像ｄ１１として、右乳房ＣＣ画像ｄ２がレポート添付画像ｄ１２として、左乳房ＭＬＯ画像ｄ３がレポート添付画像ｄ１３として、左乳房ＣＣ画像ｄ４がレポート添付画像ｄ１４として、レポート生成画面１３１上に自動で配置される。
【０１０２】
また、読影画面３３１上の右乳房ＭＬＯ画像ｄ１、右乳房ＣＣ画像ｄ２、左乳房ＭＬＯ画像ｄ３、左乳房ＣＣ画像ｄ４に描画されたアノテーション実データが、レポート生成画面１３１上のレポート添付画像ｄ１１〜ｄ１４に自動で描画される。
【０１０３】
次に、図１５に、ステップＳ８において決定した表示状態でレポート生成画面１３１を表示部１３に表示させる（自動マップする）イメージを示す。図１５に示すように、病変情報設定ダイアログ３３３上で設定された病変情報が、右乳房レポート記述領域Ｔ１４、左乳房レポート記述領域Ｔ１５に反映される。
【０１０４】
図９に戻り、次に、制御部１１は、操作部１２からの操作信号、ステップＳ６〜Ｓ８において決定した表示状態、画像ビューワ端末３０から取得した乳房画像データ、病変アノテーション情報等に基づいて、読影レポートデータオブジェクトを生成する（ステップＳ１０）。
【０１０５】
具体的に、制御部１１は、右乳房病変内容情報、右乳房病変コメント情報を、読影レポートデータオブジェクトの右乳房の部分レポートデータオブジェクトに反映する。同様に、制御部１１は、左乳房病変内容情報、左乳房病変コメント情報を読影レポートデータオブジェクトの左乳房の部分レポートデータオブジェクトに反映する。
【０１０６】
制御部１１は、病変アノテーション情報オブジェクトの病変情報に含まれる右乳房部分判定値を、読影レポートデータオブジェクトの右乳房の部分レポートデータオブジェクトに含まれる部分判定情報とする。また、制御部１１は、左乳房部分判定値を、左乳房の部分レポートオブジェクトに含まれる部分判定情報とする。
【０１０７】
制御部１１は、病変アノテーション情報オブジェクトのアノテーション実データに含まれる「病変種類」「病変のサイズ」「病変の位置」の情報を右乳房、左乳房の部分レポートデータオブジェクトに反映する。
【０１０８】
制御部１１は、ユーザ操作による操作部１２からの操作信号に基づいて、レポート生成画面１３１上の表示状態が変更された場合、読影レポートデータオブジェクトの対応する値を変更（更新）する。
【０１０９】
ユーザは、操作部１２を介して、総合判定表示領域Ｔ１１にあるカテゴリ１〜５等のボタン（図示せず）を選択し、総合判定を行う。制御部１１は、ユーザ操作による操作部１２からの操作信号に基づいて、読影レポートデータオブジェクトの総合レポートデータオブジェクトに含まれる統合判定情報に値を付与する（更新する）（ステップＳ１１）。
【０１１０】
そして、制御部１１は、ユーザ操作による操作部１２からの操作信号に基づいて、生成した読影レポートデータオブジェクトを記憶部１５のレポートＤＢ１５１に記憶させる（保存する）（ステップＳ１２）。以上で、処理が終了する。
【０１１１】
以上、本実施形態によれば、レポート生成管理装置１０の制御部１１は、通信部１４を介して画像ビューワ端末３０から乳房画像データと病変アノテーション情報とを取得する。制御部１１は、乳房画像データの付帯情報に基づいて、レポート生成画面（読影レポート作成画面）１３１における乳房画像データ及び病変アノテーション情報の表示状態を決定する。制御部１１は、乳房画像データと病変アノテーション情報とが決定された表示状態で表示されたレポート生成画面１３１を表示部１３に表示させる。
【０１１２】
そのため、読影医は、画像ビューワ端末３０の読影画面３３１に表示される乳房画像に対してアノテーションで病変を指摘し、レポート転記ボタンｂ１を押下するだけで、自動で、レポート生成管理装置１０のレポート生成画面１３１上に、読影画面３３１で指摘した病変に関する読影レポートを反映することができる。
【０１１３】
よって、読影画面に表示された乳房画像に対する読影レポートを作成する際の利便性を向上させることができる。
【０１１４】
尚、本実施形態における記述は、本発明に係る読影レポート作成支援装置の一例であり、これに限定されるものではない。システム及び各装置の細部構成及び細部動作に関しても適宜変更可能である。
【０１１５】
例えば、本実施形態において、画像ビューワ端末３０とＰＡＣＳ４０とは別の装置であるが、これらを統合して一つの装置としてもよい。また、本実施形態において、レポート生成管理装置１０と画像ビューワ端末３０とは別の装置であるが、これらを統合して一つの装置としてもよい。
【０１１６】
また、本実施形態では、プログラムを格納したコンピュータ読み取り可能な媒体としてハードディスクを使用した例を開示したが、この例に限定されない。その他のコンピュータ読み取り可能な媒体として、ＣＤ−ＲＯＭ等の可搬型記憶媒体、フラッシュメモリ等の不揮発性メモリ等を適用することが可能である。また、プログラムのデータを通信回線を介して提供する媒体として、キャリアウェーブ（搬送波）も適用可能である。
【符号の説明】
【０１１７】
１０      レポート生成管理装置
１１      制御部
１２      操作部
１３      表示部
１４      通信部
１５      記憶部
１６      バス
２０      モダリティ
３０      画像ビューワ端末
３１      制御部
３２      操作部
３３      表示部
３４      通信部
３５      記憶部
３６      バス
４０      ＰＡＣＳ
１００    放射線科システム
１３１    レポート生成画面
３３１    読影画面
３３２    アノテーション選択メニューバー
３３３    病変情報設定ダイアログ
ｄ１５    病変レポートテンプレート
ｄ１６    病変レポートテンプレート
Ｎ        通信ネットワーク
Ｔ１      カテゴリ選択領域
Ｔ２      病変内容設定領域
Ｔ１１    総合判定表示領域
Ｔ１２    右乳房部分判定設定領域
Ｔ１３    左乳房部分判定設定領域
Ｔ１４    右乳房レポート記述領域
Ｔ１５      左乳房レポート記述領域
【図１】
2010227207.tif 000003
【図２】
2010227207.tif 000004
【図３】
2010227207.tif 000005
【図４】
2010227207.tif 000006
【図５】
2010227207.tif 000007
【図６】
2010227207.tif 000008
【図７】
2010227207.tif 000009
【図８】
2010227207.tif 000010
【図９】
2010227207.tif 000011
【図１０】
2010227207.tif 000012
【図１１】
2010227207.tif 000013
【図１２】
2010227207.tif 000014
【図１３】
2010227207.tif 000015
【図１４】
2010227207.tif 000016
【図１５】
2010227207.tif 000017